(57)【要約】  【課題】  基板が回転してしまうことのない紫外線照射装置を提供する。  【解決手段】  紫外線を発光する発光ダイオード２３と、この発光ダイオード２３を取り付けたアルミ基板２１と、発光ダイオード２３から射出される紫外線を収束させて硬化すべき樹脂に向けて照射するレンズとを円筒状のハウジング１１に設けた紫外線照射装置１０であって、アルミ基板２１に位置決用の突部２４Ｔ,２５Ｔを設け、ハウジング１１にその突部２４Ｔ,２５Ｔに係合する凹部１５,１６を設けた。【選択図】  図３
2006281655.tif 000002
【特許請求の範囲】
【請求項１】
紫外線を発光する発光ダイオードと、この発光ダイオードを取り付けた基板と、前記発光ダイオードから射出される紫外線を収束させて硬化すべき樹脂に向けて照射するレンズとを円筒状のハウジングに設けた紫外線照射装置であって、
前記基板に位置決用の突部を設け、
前記ハウジングにその突部に係合する凹部を設けたことを特徴とする紫外線照射装置。
【請求項２】
前記基板にランド用基板部を形成し、
前記突部は、前記ランド用基板部の近傍に形成し、このランド用基板部の側面の一部をハウジングの内周面に当接させたことを特徴とする請求項１に記載の紫外線照射装置。
【発明の詳細な説明】
【技術分野】
【０００１】
この発明は、紫外線を硬化すべき樹脂に向けて照射する紫外線照射装置に関する。
【背景技術】
【０００２】
従来から、紫外線を発光する発光ダイオードを基板に取り付け、この基板を円筒状のハウジング内に設けた紫外線照射装置が知られている（特許文献１参照）。
【０００３】
かかる紫外線照射装置は、発光ダイオードから射出される紫外線をレンズによって収束させて硬化すべき樹脂に向けて照射するものである。
【特許文献１】特開２００４−３５８７７０号公報
【発明の開示】
【発明が解決しようとする課題】
【０００４】
このような紫外線照射装置にあっては、基板が円形に形成されているため、その基板がハウジング内で回転し易く、この回転により基板に半田付けされているリード線が捩れたりする等の問題があった。
【０００５】
この発明の目的は、基板が回転してしまうことのない紫外線照射装置を提供することにある。
【課題を解決するための手段】
【０００６】
上記目的を達成するため、請求項１の発明は、紫外線を発光する発光ダイオードと、この発光ダイオードを取り付けた基板と、前記発光ダイオードから射出される紫外線を収束させて硬化すべき樹脂に向けて照射するレンズとを円筒状のハウジングに設けた紫外線照射装置であって、
前記基板に位置決用の突部を設け、
前記ハウジングにその突部に係合する凹部を設けたことを特徴とする。
【０００７】
請求項２の発明は、前記基板にランド用基板部を形成し、
前記突部は、前記ランド用基板部の近傍に形成し、このランド用基板部の側面の一部をハウジングの内周面に当接させたことを特徴とする。
【発明の効果】
【０００８】
この発明によれば、ハウジング内に装着した基板が回転してしまうことを防止することができる。
【発明を実施するための最良の形態】
【０００９】
以下、この発明に係る紫外線照射装置の実施の形態である実施例を図面に基づいて説明する。
【実施例】
【００１０】
図１に示す紫外線照射装置１０は、筒状のハウジング１１を備えており、このハウジング１１は大径部１１Ａと小径のヘッド１１Ｂとを有している。大径部１１Ａの外周面には冷却ファン１２が取り付けられている。
【００１１】
ヘッド１１Ｂ内には、図２に示すように、半球の２つのレンズ１３,１４を有する光学系と、ＬＥＤユニット２０とが設けられている。１７はスペーサ、１８はリングネジ、１９は後述するアルミ基板２１を受ける台座部、Ｋはカバーガラスである。
【００１２】
ＬＥＤユニット２０は、アルミ基板（基板）２１と、このアルミ基板２１に重ねられて固定された取付基板２２と、この取付基板２２に取り付けられた紫外線を発光する発光ダイオード２３（図３参照）とを有している。すなわち、発光ダイオード２３は取付基板２２を介してアルミ基板２１に取り付けられている。
【００１３】
アルミ基板２１は、図３に示すように、ヘッド１１Ｂの内径より小さい正方形の基板本体２１Ａと、この基板本体２１Ａの両側部から外方に突出して形成された一対のランド用基板部２４Ａ,２５Ａと、このランド用基板部２４Ａ,２５Ａに連続形成されるとともに基板本体２１Ａの両側部に形成された突部２４Ｔ,２５Ｔとを有している。突部２４Ｔおよびランド用基板部２４Ａと、突部２５Ｔおよびランド基板部２５Ａとは点対称の位置にあり、ランド用基板部２４Ａ,２５Ａの側面２４Ａａ,２５Ａａは円弧状に形成されていてヘッド１１Ｂの内周面に当接している。
【００１４】
また、突部２４Ｔ,２５Ｔは、ヘッド１１Ｂ内に設けた凹部１５,１６に係合され、この係合によりアルミ基板２１は位置決されるとともにヘッド１１Ｂ内で回転不能となっている。また、ランド用基板部２４Ａ,２５Ａの側面２４Ａａ,２５Ａａがヘッド１１Ｂの内周面に当接していることにより、アルミ基板２１のヘッド１１Ｂに対する位置合わせが容易となる。また、点対称にある一対の突部２４Ｔ,２５Ｔと、一対のランド用基板部２４Ａ,２５Ａの側面２４Ａａ,２５Ａａとによって、アルミ基板２１の中心位置とヘッド１１Ｂの中心位置とを一致させることができ、レンズ１３,１４の光軸と発光ダイオード２３の光軸との位置出しが容易に行える。
【００１５】
凹部１５,１６はヘッド１１Ｂの長手方向（図２において上下方向）に沿って形成されている。
【００１６】
基板本体２１Ａとランド用基板部２５Ａと突部２４Ｔ,２５Ｔとの上には絶縁層４０（図４参照）が形成され、絶縁層４０の上には図４に示すように回路パターン２４,２５が形成されている。この回路パターン２４,２５の上に取付基板２２が重ねられている。
【００１７】
回路パターン２４,２５はランド用基板部２４Ａ,２５Ａの上と基板本体２１Ａの一部の上に形成され、ランド用基板部２４Ａ,２５Ａの上に形成されている回路パターン２４,２５の一部がランド２４Ｒ,２５Ｒとなっている。そして、ランド２４Ｒ,２５Ｒにはリード線Ｒ１,Ｒ２が半田付けされており、回路パターン２４,２５を介して発光ダイオード２３に電流が流れるようになっている。リード線Ｒ１,Ｒ２は、台座部１９の穴１９Ａを通って大径部１１Ａ内に設けた図示しないコントローラ部に接続されている。なお、ランド２４Ｒ,２５Ｒ以外の部分には絶縁性の樹脂によってコーテイングされている。また、図４において、Ｈは半田である。
【００１８】
次に、紫外線照射装置１０の組み付け順序を説明する。
【００１９】
先ず、リード線Ｒ１,Ｒ２が半田付けされたＬＥＤユニット２０をヘッド１１Ｂの開口１１ａから挿入する。この際、アルミ基板２１の突部２４Ｔ,２５Ｔをヘッド１１Ｂ内の凹部１５,１６に係合させる。そして、ＬＥＤユニット２０を台座部１９に当接させる。なお、リード線Ｒ１,Ｒ２は予め台座部１９の穴１９Ａに通しておくとともにコントローラ部に接続しておく。
【００２０】
次いで、基板２２にレンズ１３を載せ、スペーサ１７を図２に示すようにヘッド１１Ｂ内に入れる。このスペーサ１７により、レンズ１３は所定位置に位置決めされる。
【００２１】
そして、レンズ１４をスペーサ１７に載せ、リングネジ１８をヘッド１１Ｂ内の雌ネジ１１ｂに螺合させ、リングネジ１８を回転させながらこのリングネジ１８によりレンズ１４を下方に押し付けていく。これにより、レンズ１４の位置調整が行われ、レンズ１４とレンズ１３との光軸合わせが行われることになる。
【００２２】
リングネジ１８の回転により、レンズ１４,スペーサ１７,レンズ１３が回転してＬＥＤユニット２０に回転力が働くが、アルミ基板２１の突部２４Ｔ,２５Ｔがヘッド１１Ｂの凹部１５,１６に係合していることにより、ＬＥＤユニット２０すなわちアルミ基板２１は回転しない。このため、リード線Ｒ１,Ｒ２が捩れたりしない。
【００２３】
アルミ基板２１が回転しないことにより、発光ダイオード２３の光軸とレンズ１３,１４の光軸とがずれてしまうこともない。
【００２４】
また、組み付け後も振動や衝撃などによりアルミ基板２１は回転しないので、リード線Ｒ１,Ｒ２が捩れたりしてしまうことがなく、発光ダイオード２３の光軸とレンズ１３,１４の光軸とがずれてしまうこともない。
【００２５】
ところで、アルミ基板２１は、基板本体２１Ａに突部２４Ｔ,２５Ｔを設けて、アルミ基板２１の回転防止と位置決を行うようにしたものであるから、アルミ基板２１を小さくすることができる。すなわち、図３に示すようにアルミ基板２１の縦方向（上下方向）の長さを小さくすることができる。しかも、基板本体２１Ａとヘッド１１Ｂの内周面との間の隙間にリード線Ｒ１,Ｒ２を通したものであるから、ランド用基板部２４Ａ,２５Ａにリード線Ｒ１,Ｒ２用の孔を設ける必要がない。
【００２６】
また、ヘッド１１Ｂの凹部１５,１６も切削加工で形成できるので、その加工は簡単に行え、安価な紫外線照射装置１０を提供することができる。
【図面の簡単な説明】
【００２７】
【図１】この発明に係る紫外線照射装置を示した外観図である。
【図２】図１に示す紫外線照射装置のヘッドの構成を示した断面図である。
【図３】図２のヘッドの平面図である。
【図４】アルミ基板の構成を概念的に示した断面図である。
【符号の説明】
【００２８】
１０          紫外線照射装置
１１          ハウジング
１５          凹部
１６          凹部
２１          アルミ基板（基板）
２３          発光ダイオード
２４Ｔ        突部
２５Ｔ        突部
【図１】
2006281655.tif 000003
【図２】
2006281655.tif 000004
【図３】
2006281655.tif 000005
【図４】
2006281655.tif 000006